(57)【要約】【課題】部品点数の増加を招来することなく、煩雑な選択作業を必要とすることなく、ミラーアップ撮影を行えるようにすること。【解決手段】プレビュー機能に、ミラーアップ撮影機能を組合せて、プレビュースイッチ１１が操作されていると共に、レリーズスイッチ１０によって露光開始を指示する信号が入力された場合には、プレビュー動作を終了することなく、クイックリターンミラー１を撮影光路外へ退避させ、該退避完了から所定時間経過後にカメラのシャッター幕４を走行させるようになっている。従って、プレビュースイッチ１１をＯＮにして被写界深度を加味した被写体像をファインダーで観察した後、プレビュースイッチ１１を押し続けながら、レリーズスイッチを押すだけで、ミラーアップ撮影を行うことができる。【選択図】　図５
2004117583.tif 000002
【特許請求の範囲】
【請求項１】
プレビュー機能を動作させるために操作されるプレビュー起動手段を備えた一眼レフカメラにおいて、
前記プレビュー起動手段が操作されたか否かを判別し、操作されている場合に、カメラのレリーズスイッチの操作信号が入力されると、クイックリターンミラーを撮影光路外へ退避させて、該退避完了から所定時間経過後又は所定の信号が入力されると、撮影動作を開始する制御手段を備えていることを特徴とする一眼レフカメラ。
【請求項２】
前記制御手段は、前記プレビュー起動手段が操作されていると共に、前記レリーズスイッチによって露光開始を指示する信号が入力された場合には、プレビュー動作を終了することなく、クイックリターンミラーを撮影光路外へ退避させ、該退避完了から所定時間経過後にカメラのシャッター幕を走行させることを特徴とする請求項１に記載の一眼レフカメラ。
【請求項３】
前記制御手段は、前記プレビュー起動手段が操作されていると共に、前記レリーズスイッチによって露光を指示する信号が入力された場合には、プレビュー動作を終了することなく、クイックリターンミラーを撮影光路外へ退避させ、再度露光を指示する信号が入力されると、カメラのシャッター幕を走行させることを特徴とする請求項１に記載の一眼レフカメラ。
【請求項４】
前記制御手段は、前記プレビュー起動手段が操作されていると共に、前記レリーズスイッチによって露光準備を指示する信号が入力された場合には、プレビュー動作を終了することなく、クイックリターンミラーを撮影光路外へ退避させ、前記レリーズスイッチによって露光開始を指示する信号が入力されると、カメラのシャッター幕を走行させることを特徴とする請求項１に記載の一眼レフカメラ。
【発明の詳細な説明】
【０００１】
【発明の属する技術分野】
本発明は、プレビュー機能に、ミラーアップ撮影機能を組合せた一眼レフカメラに関する。
【０００２】
【従来の技術】
接写、複写の近接撮影時等には、クイックリターンミラーのアップ時の衝撃により写真がブレてしまうことを回避するため、撮影前にミラーをアップして、ミラーの振動衝撃等が収まった後に、シャッター幕を走行させるミラーアップ撮影機能を備えた一眼レフカメラがある。
【０００３】
このミラーアップ撮影機能には、手動操作によりミラーアップした後、撮影者が任意のタイミングでレリーズスイッチを押してシャッター幕を走行させる手動の場合と、特許文献１に記載のように、ミラーアップ撮影モードとして、このモードを選択した時には、レリーズスイッチを押し、ミラーアップ完了から所定時間経過後に自動的にシャッター幕を走行させる自動の場合と、特許文献２に記載のように、ミラーアップ撮影モードとして、このモードを選択した時には、ミラーアップ完了後、撮影者が任意のタイミングでレリーズスイッチを押してシャッター幕を走行させる半自動の場合とがある。
【０００４】
一方、撮影前に被写界深度を確認するため、プレビュースイッチをＯＮにすると、レリーズ動作とは無関係に制御絞り値まで絞り込み、被写界深度を加味した被写体像をファインダーで観察することができるプレビュー機能を備えた一眼レフカメラもある。
【０００５】
例えば、非特許文献１に記載のように、このプレビュー機能に、手動のミラーアップ撮影機能を組合せた一眼レフカメラがある。手動操作によりクイックリターンミラーをアップするためのミラーアップレバーが設けてあり、このミラーアップレバーは、プレビュースイッチがＯＮであるときのみ、回動してクイックリターンミラーをアップできるようになっている。
【０００６】
従って、撮影者は、プレビュースイッチをＯＮにして制御絞り値まで絞り込み、被写界深度を加味した被写体像をファインダーで観察した後、ミラーアップレバーを回動して、クイックリターンミラーアップが完了すると、任意のタイミングでレリーズスイッチを押してシャッター幕を走行させ、写真のブレを極力無くした近接撮影等を行うことができる。
【０００７】
なお、このようにミラーアップ撮影機能とプレビュー機能を組み合わせた場合には、撮影前に、絞り込み動作も完了しているため、絞り込み動作が写真のブレに影響を与えることがない。
【０００８】
【特許文献１】
特開平５ー２４９５６１号公報（段落番号００５３、図６）
【特許文献２】
特開平５ー３２３４５０号公報（段落番号００２８、図１１）
【非特許文献１】
ニコンテクニカルマニュアル、写真工業出版社、昭和５６年３月発行（７１頁、右側、３−７行、写真２９）
【０００９】
【発明が解決しようとする課題】
しかしながら、上述したプレビュー機能に手動のミラーアップ撮影機能を備えた一眼レフカメラの一例では、ミラーアップレバーに加えて、このレバーに連動してミラーをアップさせるための駆動機構が必要であり、部品点数の増加を招来するといったことがある。
【００１０】
また、上記特許文献１及び特許文献２では、通常の撮影モードとミラーアップ撮影モードを切り替える必要があるが、そのためには、専用の操作部材が必要である。また、操作部材を増やさないために、撮影者がカメラの機能をカスタマイズできるカスタム設定の中に組み込むことも考えられるが、もともと数十種類もある設定機能の中から選び出すことは煩雑であり、また設定機能はそれぞれ番号で表示されることが多いため、ひとたびミラーアップ撮影機能の番号を忘れてしまうと、ミラーアップ撮影モードの設定は、困難になってしまう。さらに、露出モード等の１つとして組み込むことも考えられるが、ミラーアップ撮影モードが設定されたことを示す表示を、外部液晶表示内に追加しなければならず、もともと小さい外部液晶をさらに小さくしなければならない。
【００１１】
このように、ミラーアップ撮影モードを、他の撮影モードの中から選択することは、複雑な選択作業を必要として、煩雑であるといったことがある。
【００１２】
本発明は、上述したような事情に鑑みてなされたものであって、部品点数の増加を招来することなく、煩雑な選択作業を必要とすることなく、ミラーアップ撮影を行えるようにした一眼レフカメラを提供することを目的とする。
【００１３】
【課題を解決するための手段】
上記の目的を達成するため、本発明の請求項１に係る一眼レフカメラは、プレビュー機能を動作させるために操作されるプレビュー起動手段を備えた一眼レフカメラにおいて、
前記プレビュー起動手段が操作されたか否かを判別し、操作されている場合に、カメラのレリーズスイッチの操作信号が入力されると、クイックリターンミラーを撮影光路外へ退避させて、該退避完了から所定時間経過後又は所定の信号が入力されると、撮影動作を開始する制御手段を備えていることを特徴とする。
【００１４】
また、請求項２に係る一眼レフカメラは、請求項１において、前記制御手段は、前記プレビュー起動手段が操作されていると共に、前記レリーズスイッチによって露光開始を指示する信号が入力された場合には、プレビュー動作を終了することなく、クイックリターンミラーを撮影光路外へ退避させ、該退避完了から所定時間経過後にカメラのシャッター幕を走行させることを特徴とする。
【００１５】
さらに、請求項３に係る一眼レフカメラは、請求項１において、前記制御手段は、前記プレビュー起動手段が操作されていると共に、前記レリーズスイッチによって露光を指示する信号が入力された場合には、プレビュー動作を終了することなく、クイックリターンミラーを撮影光路外へ退避させ、再度露光を指示する信号が入力されると、カメラのシャッター幕を走行させることを特徴とする。
【００１６】
さらに、請求項４に係る一眼レフカメラは請求項１において、、前記制御手段は、前記プレビュー起動手段が操作されていると共に、前記レリーズスイッチによって露光準備を指示する信号が入力された場合には、プレビュー動作を終了することなく、クイックリターンミラーを撮影光路外へ退避させ、前記レリーズスイッチによって露光開始を指示する信号が入力されると、カメラのシャッター幕を走行させることを特徴とする。
【００１７】
【発明の実施の形態】
以下、本発明の実施の形態に係る一眼レフカメラを図面を参照しつつ説明する。
【００１８】
図１は、本発明の実施の形態に係る一眼レフカメラのカメラボディと撮影レンズの分解斜視図である。
【００１９】
図２は、図１に示した一眼レフカメラのカメラボディの縦断面図であって、クイックリターンミラーをダウンさせた状態の図である。図３は、図１に示した一眼レフカメラのカメラボディの縦断面図であって、プレビュー機能を起動している状態の図である。図４は、図１に示した一眼レフカメラのカメラボディの縦断面図であって、クイックリターンミラーをアップさせた状態の図である。
【００２０】
図５は、図１に示した一眼レフカメラにより所謂ミラーアップ撮影（Ｉ）を行う場合のフローチャートである。図６は、図１に示した一眼レフカメラにより所謂ミラーアップ撮影（ＩＩ）を行う場合のフローチャートである。図７は、図１に示した一眼レフカメラにより所謂ミラーアップ撮影（ＩＩＩ）を行う場合のフローチャートである。
【００２１】
図１乃至図４に示すように、一眼レフカメラは、カメラボディＣＢと、カメラボディＣＢに着脱可能に取付けた撮影レンズＣＬと、カメラボディＣＢに取付けたファインダー装置ＦＤとからなる。撮影レンズＣＬから入射した被写体光は、光路に４５度の角度で挿入したクイックリターンミラー１により焦点板２に結像する。この被写体像は、ファインダー装置ＦＤに導かれて、接眼レンズ３から観察できる。クイックリターンミラー１が跳ね上がると共に、シャッター幕４が走行し、被写体光がフィルム面に結像してフィルムに露光される。なお、５は、焦点検出装置である。
【００２２】
カメラボディＣＢには、レリーズスイッチ１０、プレビュー機能を起動するためのプレビュースイッチ１１、カメラ側の絞り連動レバー１２が設けてある。
【００２３】
撮影レンズＣＬには、カメラ側の絞り連動レバー１２に連動して作動するレンズ側の絞りレバー１３が設けてある。
【００２４】
プレビュースイッチ１１が押されると、図３に示すように、カメラ側の絞り連動レバー１２が作動し、この絞り連動レバー１２に連動して、レンズ側の絞りレバー１３が作動し、結果的に絞りが絞り込まれる。このプレビュー機能により、シャッターレリーズ前に、被写界深度を加味した被写体像をファインダー装置ＦＤで観察することができる。
【００２５】
プレビュースイッチ１１を押し続けている限りは、プレビュー機能の起動状態（図３の状態）が維持され、プレビュースイッチ１１から指を離すと、絞り連動レバー１２が復帰し、元の状態（図２の状態）に戻る。ここまでは、通常のプレビュー動作のシーケンスと同じである。
【００２６】
なお、プレビュースイッチ１１が押されている時は、シャッター幕４は走行せず、クイックリターンミラー１もダウン状態であるため、ファインダー装置ＦＤで実際の撮影画面を確認できるが、撮影は行われない。
【００２７】
（ミラーアップ撮影（Ｉ））
ミラーアップ撮影（Ｉ）では、プレビュースイッチ１１が操作されていると共に、レリーズスイッチ１０によって露光開始を指示する信号が入力された場合には、プレビュー動作を終了することなく、クイックリターンミラー１を撮影光路外へ退避させ、該退避完了から所定時間経過後にカメラのシャッター幕４を走行させるようになっている。従って、プレビュースイッチ１１を押し続けながら、レリーズスイッチ１０を押すだけで、ミラーアップ撮影を行うことができ、部品点数の増加を招来することもなく、煩雑な選択作業を必要とすることなく、ミラーアップ撮影を行うことができ、写真のブレを極力排除した近接撮影等を行うことができる。
【００２８】
具体的には、図５に示すように、ステップ１０１，１０２において、プレビュースイッチ１１が押されると、図３に示すように、カメラ側の絞り連動レバー１２が作動し、この絞り連動レバー１２に連動して、レンズ側の絞りレバー１３が作動し、結果的に絞りが絞り込まれる。このプレビュー機能により、シャッターレリーズ前に、被写界深度を加味した被写体像をファインダー装置ＦＤで観察することができる。
【００２９】
ステップ１０３において、レリーズスイッチ１０がＯＮされて、露光開始を指示する信号が入力されると、ステップ１０４において、タイマー計測が開始され、ステップ１０５において、プレビュー信号がＯＮか否かが判別される。
【００３０】
プレビュー信号がＯＮである場合には、即ち、プレビュースイッチ１１が操作されている場合には、ステップ１０６において、クイックリターンミラー１をアップし、タイマー計測開始から「ミラーアップ動作時間＋振動衝撃収束時間（Ａ）」の時間が経過した後に、ステップ１０７において、シャッター幕４を走行させている。
【００３１】
すなわち、図４に示すように、レリーズスイッチ１０が押されると、クイックリターンミラー１が撮影光路外へ退避する（図４の状態）。このミラーアップ動作の振動衝撃が収束するに足る時間経過後に、シャッタ幕４を走行させ、初めてフィルムへの露光を行う。
【００３２】
シャッタ幕が走行する前に、機構ブレの２大要因である、カメラ側の絞り連動レバー１２の作動と、クイックリターンミラー１のアップ動作とを完了させ、振動衝撃が収束したのちに、シャッタ幕４を走行させるので、機構ブレを最大限に抑えることができる。
【００３３】
ミラーアップ動作の振動衝撃が収束する時間は、内部機構にもよるが一般的に数１０ｍｓ〜１００ｍｓ程度であるので、上述した「ミラーアップ動作時間＋振動衝撃収束時間（Ａ）」は、レリーズスイッチ１０が押されてから、１００ｍｓ程度であり、この後にシャッタ幕４を走行させている。
【００３４】
なお、ステップ１０５において、プレビュー信号がＯＦＦである場合には、通常の撮影を行うようになっている。即ち、ステップ１０８において、タイマー計測開始から「ミラーアップ動作時間（Ｂ）」の経過後に、ステップ１０９において、シャッター幕４を走行させている。
【００３５】
これらミラーアップ撮影又は通常撮影の後には、ステップ１１０において、クイックリターンミラー１をダウンして、ステップ１１１において、絞りレバー１２，１３を復帰させる。
【００３６】
以上のように、ミラーアップ撮影（Ｉ）では、プレビュー機能に、所謂ミラーアップ撮影機能を組合せて、プレビュースイッチ１１が操作されていると共に、レリーズスイッチ１０によって露光開始を指示する信号が入力された場合には、プレビュー動作を終了することなく、クイックリターンミラー１を撮影光路外へ退避させ、該退避完了から所定時間経過後にカメラのシャッター幕４を走行させるようになっている。従って、プレビュースイッチ１１を押し続けながら、レリーズスイッチ１０を押すだけで、ミラーアップ撮影を行うことができ、部品点数の増加を招来することもなく、煩雑な選択作業を必要とすることなく、ミラーアップ撮影を行うことができ、写真のブレを極力排除した近接撮影等を行うことができる。
【００３７】
また、プレビュー機能にミラーアップ撮影機能を組み合わせているため、撮影前に絞り込み動作も完了しており、絞り込み動作が写真のブレに影響を与えることがない。
【００３８】
（ミラーアップ撮影（ＩＩ））
ミラーアップ撮影（ＩＩ）では、プレビュースイッチ１１が操作されていると共に、レリーズスイッチ１０によって露光を指示する信号が入力された場合には、プレビュー動作を終了することなく、クイックリターンミラー１を撮影光路外へ退避させ、再度露光を指示する信号が入力されると、カメラのシャッター幕４を走行させるようになっている。従って、プレビュースイッチ１１を押し続けながら、レリーズスイッチ１０を所謂全押しで２回押すだけで、ミラーアップ撮影を行うことができる。即ち、部品点数の増加を招来することもなく、煩雑な選択作業を必要とすることなく、撮影者が任意のタイミングでレリーズスイッチ１０を押してシャッター幕４を走行させて、ミラーアップ撮影を行うことができ、写真のブレを極力排除した近接撮影等を行うことができる。
【００３９】
具体的には、図６に示すように、ステップ２０１，２０２において、プレビュースイッチ１１が押されると、図３に示すように、カメラ側の絞り連動レバー１２が作動し、この絞り連動レバー１２に連動して、レンズ側の絞りレバー１３が作動し、結果的に絞りが絞り込まれる。このプレビュー機能により、シャッターレリーズ前に、被写界深度を加味した被写体像をファインダー装置ＦＤで観察することができる。
【００４０】
ステップ２０３において、レリーズスイッチ１０がＯＮされて（所謂全押しされて）、露光開始を指示する信号が入力されると、ステップ２０４において、プレビュー信号がＯＮか否かが判別される。
【００４１】
プレビュー信号がＯＮである場合には、即ち、プレビュースイッチ１１が操作されている場合には、ステップ２０５において、クイックリターンミラー１が撮影光路外へ退避される（図４の状態）。
【００４２】
ステップ２０６において、レリーズスイッチ１０が再度ＯＮされ（所謂全押しされ）ると、ステップ２０７において、シャッタ幕４を走行させ、初めてフィルムへの露光を行う。
【００４３】
シャッタ幕が走行する前に機構ブレの２大要因である、カメラ側の絞り連動レバー１２の作動と、クイックリターンミラー１のアップ動作とを完了させ、振動衝撃が収束したのちに、シャッタ幕４を走行させるので、機構ブレを最大限に抑えることができる。
【００４４】
また、撮影者は、最初のレリーズスイッチ１０（所謂全押し）操作で、ミラーアップ動作までを完了させておき、シャッターチャンスを待って、再度のレリーズスイッチ１０（所謂全押し）操作でシャッターを走行させ、フィルムへの露光を行うことができるので、機構ブレを抑えつつ、レリーズタイムラグもほとんどなくすことができる。
【００４５】
なお、ステップ２０４において、プレビュー信号がＯＦＦである場合には、通常の撮影を行うようになっている。即ち、ステップ２０８において、タイマー計測を開始し、ステップ２０９において、「ミラーアップ動作時間（Ｂ）」の経過後に、ステップ２１０において、シャッター幕４を走行させている。
【００４６】
これらミラーアップ撮影又は通常撮影の後には、ステップ２１０において、クイックリターンミラー１をダウンして、ステップ２１１において、絞りレバー１２，１３を復帰させる。
【００４７】
以上のように、ミラーアップ撮影（ＩＩ）では、プレビュー機能に、所謂ミラーアップ撮影機能を組合せて、プレビュースイッチ１１が操作されていると共に、レリーズスイッチ１０によって露光を指示する信号が入力された場合には、プレビュー動作を終了することなく、クイックリターンミラー１を撮影光路外へ退避させ、再度露光を指示する信号が入力されると、カメラのシャッター幕４を走行させるようになっている。従って、プレビュースイッチ１１を押し続けながら、レリーズスイッチ１０を所謂全押しで２回押すだけで、ミラーアップ撮影を行うことができる。即ち、部品点数の増加を招来することもなく、煩雑な選択作業を必要とすることなく、撮影者が任意のタイミングでレリーズスイッチ１０を押してシャッター幕４を走行させて、ミラーアップ撮影を行うことができ、写真のブレを極力排除した近接撮影等を行うことができる。
【００４８】
また、プレビュー機能にミラーアップ撮影機能を組み合わせているため、撮影前に絞り込み動作も完了しており、絞り込み動作が写真のブレに影響を与えることがない。
【００４９】
（ミラーアップ撮影（ＩＩＩ））
ミラーアップ撮影（ＩＩＩ）では、プレビュースイッチ１１が操作されていると共に、レリーズスイッチ１０によって露光準備を指示する信号が入力された場合には、プレビュー動作を終了することなく、クイックリターンミラー１を撮影光路外へ退避させ、レリーズスイッチ１０によって露光開始を指示する信号が入力されると、カメラのシャッター幕４を走行させるようになっている。従って、プレビュースイッチ１１を押し続けながら、レリーズスイッチ１０を所謂半押しと全押しとで２回押すだけで、ミラーアップ撮影を行うことができる。即ち、部品点数の増加を招来することもなく、煩雑な選択作業を必要とすることなく、撮影者が任意のタイミングでレリーズスイッチ１０を押してシャッター幕４を走行させて、ミラーアップ撮影を行うことができ、写真のブレを極力排除した近接撮影等を行うことができる。
【００５０】
具体的には、図７に示すように、ステップ３０１，３０２において、プレビュースイッチ１１が押されると、図３に示すように、カメラ側の絞り連動レバー１２が作動し、カメラ側の絞り連動レバー１２に連動して、レンズ側の絞りレバー１３が作動し、結果的に絞りが絞り込まれる。このプレビュー機能により、シャッターレリーズ前であっても、被写界深度を加味した被写体像をファインダー装置ＦＤで観察することができる。
【００５１】
ステップ３０３において、レリーズスイッチ１０が操作されて（所謂半押しされて）、露光準備を指示する信号が入力されると、ステップ３０４において、プレビュー信号がＯＮか否かが判別される。
【００５２】
プレビュー信号がＯＮである場合には、即ち、プレビュースイッチ１１が操作されている場合には、ステップ３０５において、クイックリターンミラー１が撮影光路外へ退避される（図４の状態）。
【００５３】
ステップ３０６において、レリーズスイッチ１０がＯＮされ（所謂全押しされ）ると、ステップ３０７において、シャッタ幕４を走行させ、初めてフィルムへの露光を行う。
【００５４】
シャッタ幕が走行する前に機構ブレの２大要因である、カメラ側の絞り連動レバー１２の作動と、クイックリターンミラー１のアップ動作とを完了させ、振動衝撃が収束したのちに、シャッタ幕４を走行させるので、機構ブレを最大限に抑えることができる。
【００５５】
また、撮影者は、最初のレリーズスイッチ１０（所謂半押し）動作で、ミラーアップ動作までを完了させておき、シャッターチャンスを待って、再度のレリーズスイッチ１０（所謂全押し）操作でシャッターを走行させ、フィルムへの露光を行うことができるので、機構ブレを抑えつつ、レリーズタイムラグもほとんどなくすことができる。
【００５６】
なお、ステップ３０４において、プレビュー信号がＯＦＦである場合には、通常の撮影を行うようになっている。即ち、ステップ３０８において、タイマー計測を開始し、ステップ３０９において、「ミラーアップ動作時間（Ｂ）」の経過後に、ステップ３１０において、シャッター幕４を走行させている。
【００５７】
これらミラーアップ撮影又は通常撮影の後には、ステップ３１０において、クイックリターンミラー１をダウンして、ステップ３１１において、絞りレバー１２，１３を復帰させる。
【００５８】
以上のように、ミラーアップ撮影（ＩＩＩ）では、プレビュー機能に、所謂ミラーアップ撮影機能を組合せて、プレビュースイッチ１１が操作されていると共に、レリーズスイッチ１０によって露光準備を指示する信号が入力された場合には、プレビュー動作を終了することなく、クイックリターンミラー１を撮影光路外へ退避させ、レリーズスイッチ１０によって露光開始を指示する信号が入力されると、カメラのシャッター幕４を走行させるようになっている。従って、プレビュースイッチ１１を押し続けながら、レリーズスイッチ１０を所謂半押しと全押しとで２回押すだけで、ミラーアップ撮影を行うことができる。即ち、部品点数の増加を招来することもなく、煩雑な選択作業を必要とすることなく、撮影者が任意のタイミングでレリーズスイッチ１０を押してシャッター幕４を走行させて、ミラーアップ撮影を行うことができ、写真のブレを極力排除した近接撮影等を行うことができる。
【００５９】
また、プレビュー機能にミラーアップ撮影機能を組み合わせているため、撮影前に絞り込み動作も完了しており、絞り込み動作が写真のブレに影響を与えることがない。
【００６０】
なお、本発明は、上述した実施の形態に限定されず、種々変形可能である。例えば、レリーズスイッチ１０の押し動作の代わりに、ケーブルレリーズの入力動作であってもよい。
【００６１】
【発明の効果】
以上説明したように、請求項１によれば、プレビュー起動手段が操作されたか否かを判別し、操作されている場合に、カメラのレリーズスイッチの操作信号が入力されると、クイックリターンミラーを撮影光路外へ退避させて、該退避完了から所定時間経過後又は所定の信号が入力されると、撮影動作を開始する制御手段を備えている。
【００６２】
従って、プレビュー機能に、所謂ミラーアップ撮影機能を組合せて、プレビュー起動手段を操作して被写界深度を加味した被写体像をファインダーで観察した後、プレビュー起動手段を押し続けながら、レリーズスイッチを押すだけで、所謂ミラーアップ撮影を行うことができる。そのため、部品点数の増加を招来することもなく、煩雑な選択作業を必要とすることなく、所謂ミラーアップ撮影を行うことができ、写真のブレを極力排除した近接撮影等を行うことができる。また、プレビュー機能に所謂ミラーアップ撮影機能を組み合わせているため、撮影前に絞り込み動作も完了しており、絞り込み動作が写真のブレに影響を与えることがない。
【００６３】
また、請求項２によれば、プレビュー起動手段が操作されていると共に、レリーズスイッチによって露光開始を指示する信号が入力された場合には、プレビュー動作を終了することなく、クイックリターンミラーを撮影光路外へ退避させ、該退避完了から所定時間経過後にカメラのシャッター幕を走行させるようになっている。
【００６４】
従って、プレビュー起動手段を押し続けながら、レリーズスイッチを押すだけで、所謂ミラーアップ撮影を行うことができ、部品点数の増加を招来することもなく、煩雑な選択作業を必要とすることなく、所謂ミラーアップ撮影を行うことができ、写真のブレを極力排除した近接撮影等を行うことができる。
【００６５】
さらに、請求項３によれば、プレビュー起動手段が操作されていると共に、レリーズスイッチによって露光を指示する信号が入力された場合には、プレビュー動作を終了することなく、クイックリターンミラーを撮影光路外へ退避させ、再度露光を指示する信号が入力されると、カメラのシャッター幕を走行させるようになっている。
【００６６】
従って、プレビュー起動手段を押し続けながら、レリーズスイッチを所謂全押しで２回押すだけで、所謂ミラーアップ撮影を行うことができる。即ち、部品点数の増加を招来することもなく、煩雑な選択作業を必要とすることなく、撮影者が任意のタイミングでレリーズスイッチを押してシャッター幕を走行させて、所謂ミラーアップ撮影を行うことができ、写真のブレを極力排除した近接撮影等を行うことができる。
【００６７】
されに、請求項４によれば、プレビュー起動手段が操作されていると共に、レリーズスイッチによって露光準備を指示する信号が入力された場合には、プレビュー動作を終了することなく、クイックリターンミラーを撮影光路外へ退避させ、レリーズスイッチによって露光開始を指示する信号が入力されると、カメラのシャッター幕を走行させるようになっている。
【００６８】
従って、プレビュー起動手段を押し続けながら、レリーズスイッチを所謂半押しと全押しとで２回押すだけで、所謂ミラーアップ撮影を行うことができる。即ち、部品点数の増加を招来することもなく、煩雑な選択作業を必要とすることなく、撮影者が任意のタイミングでレリーズスイッチを押してシャッター幕を走行させて、所謂ミラーアップ撮影を行うことができ、写真のブレを極力排除した近接撮影等を行うことができる。
【図面の簡単な説明】
【図１】本発明の実施の形態に係る一眼レフカメラのカメラボディと撮影レンズの分解斜視図である。
【図２】図１に示した一眼レフカメラのカメラボディの縦断面図であって、クイックリターンミラーをダウンさせた状態の図である。
【図３】図１に示した一眼レフカメラのカメラボディの縦断面図であって、プレビュー機能を起動している状態の図である。
【図４】図１に示した一眼レフカメラのカメラボディの縦断面図であって、クイックリターンミラーをアップさせた状態の図である。
【図５】図１に示した一眼レフカメラにより所謂ミラーアップ撮影（Ｉ）を行う場合のフローチャートである。
【図６】図１に示した一眼レフカメラにより所謂ミラーアップ撮影（ＩＩ）を行う場合のフローチャートである。
【図７】図１に示した一眼レフカメラにより所謂ミラーアップ撮影（ＩＩＩ）を行う場合のフローチャートである。
【符合の説明】
１　クイックリターンミラー
２　焦点板
３　接眼レンズ
４　シャッター幕
５　焦点検出装置
１０　レリーズスイッチ
１１　プレビュースイッチ（プレビュー動作の起動手段）
１２　カメラ側の絞り連動レバー
１３　レンズ側の絞りレバー
ＣＢ　カメラボディ
ＣＬ　撮影レンズ
ＦＤ　ファインダー装置
【図１】
2004117583.tif 000003
【図２】
2004117583.tif 000004
【図３】
2004117583.tif 000005
【図４】
2004117583.tif 000006
【図５】
2004117583.tif 000007
【図６】
2004117583.tif 000008
【図７】
2004117583.tif 000009